(57)【特許請求の範囲】
【請求項１】
内部に貯蔵室が形成されている断熱箱体と、
この断熱箱体の庫外側の面材に形成されている把手用開口と、
一面が開口している箱体からなるとともに、この開口面を面材の把手用開口に対向させて、把手用開口を内側から覆って、面材に取り付けられている把手ボックスと、
この把手ボックスに取り付けられている把手とを備えている可搬式断熱貯蔵庫において、
前記面材は把手用開口の縁部で内側に折り曲げられてフランジが形成されており、
このフランジおよび把手ボックスには、各々把手挿入用開口が形成され、
このフランジの把手挿入用開口および把手ボックスの把手挿入用開口に、把手が挿入され、この把手の挿入により把手ボックスが面材に取り付けられていることを特徴とする可搬式断熱貯蔵庫。
【請求項２】
内部に貯蔵室が形成されている断熱箱体と、
この断熱箱体の庫外側の面材に形成されている把手用開口と、
一面が開口している箱体からなるとともに、この開口面を面材の把手用開口に対向させて、把手用開口を内側から覆って、面材に取り付けられている把手ボックスと、
この把手ボックスに取り付けられている把手とを備えている可搬式断熱貯蔵庫において、
前記把手ボックスには、把手が挿入される把手挿入用開口が形成され、
前記面材または把手ボックスには、凸部または嵌合部の一方が設けられ、
また、前記把手の端部には凸部または嵌合部の他方が設けられ、
把手の端部が把手ボックスの把手挿入用開口に挿入され、前記凸部が前記嵌合部に嵌まって係合して、把手が取り付けられていることを特徴とする可搬式断熱貯蔵庫。
【発明の詳細な説明】
【０００１】
【発明の属する技術分野】
本発明は、手などで把手を掴んで移動する可搬式断熱貯蔵庫に関する。
【０００２】
【従来の技術】
この種の従来の可搬式断熱貯蔵庫は、たとえば特公平８−６９９８号公報（Ｆ２５Ｄ１６／００）などに記載されている。そして、従来の可搬式断熱貯蔵庫の移動用の把手の取り付け構造は、図７ないし図１０に図示されている。図７は従来の可搬式断熱貯蔵庫の把手の取り付け構造の組み立て分解斜視図である。図８は把手ボックスが取り付けられている面材の要部斜視図である。図９は把手の取り付け構造の説明図で、（ａ）が裏面側から見た斜視図、（ｂ）が正面側から見た斜視図である。図１０は把手の取り付け構造の断面図で、（ａ）が横から見た要部断面図、（ｂ）が上から見た断面図である。
【０００３】
可搬式断熱貯蔵庫の断熱箱体の庫外側の面材０１には、把手用開口０２が形成されており、面材０１は把手用開口０２の縁部で内側に略直角に折り曲げられてフランジ０３が形成されている。この面材０１の把手用開口０２を内側から覆う把手ボックス０５は、前面が開口した箱状をしているとともに、前端部は外側に折り曲げられてフランジ０６が形成されている。また、把手ボックス０５の上壁０７および下壁０８には各々、把手挿入用開口０９が形成されている。この把手挿入用開口０９に挿入して取り付けられる棒状の移動用の把手０１１は、上下両端部に各々ビス用の孔０１２が開けられている。
【０００４】
【発明が解決しようとする課題】
ところで、把手ボックス０５のフランジ０６を面材０１にスポット溶接して、把手ボックス０５は面材０１に取り付けられており、スポット溶接の箇所０１６のスポット跡が面材０１の表面に露出して見栄えが悪くなる。スポット溶接の箇所０１６は複数箇所で行う必要があり、把手ボックス０５の取り付けに手間が掛かっている。
【０００５】
また、把手ボックス０５の把手挿入用開口０９に挿入された把手０１１は、図９（ａ）に図示するように、把手０１１のビス用の孔０１２に、ビス０１８を挿入螺合し、ビス０１８の先端を把手ボックス０５のフランジ０６に当接させて締めつけている。この様に把手０１１はビスで固定されており、取り付け作業に手間が掛かっている。
【０００６】
さらに、把手ボックス０５が面材０１に取り付けられた状態において、面材０１のフランジ０３は、把手ボックス０５内に露出しており、図１０（ｂ）に図示するように、捲れ上がることがあり、見栄えが悪くなる。
【０００７】
本発明は、以上のような課題を解決するためのもので、可搬式断熱貯蔵庫の移動用の把手の取り付け構造の見栄えを改善したり、移動用の把手を少ない工数で取り付けたりすることを目的としている。
【０００８】
【課題を解決するための手段】
本発明の可搬式断熱貯蔵庫（１）は、内部に貯蔵室が形成されている断熱箱体（２）と、この断熱箱体の庫外側の面材（８）に形成されている把手用開口（２１）と、一面が開口している箱体からなるとともに、この開口面を面材の把手用開口に対向させて、把手用開口を内側から覆って面材に取り付けられている把手ボックス（１８）と、この把手ボックスに取り付けられている把手（１７）とを備えている。
【０００９】
そして、本出願の請求項１記載の発明の可搬式断熱貯蔵庫においては、面材が把手用開口の縁部で内側に折り曲げられてフランジ（２２）が形成されており、このフランジおよび把手ボックスには、各々把手挿入用開口（２３，３１）が形成され、このフランジの把手挿入用開口および把手ボックスの把手挿入用開口に、把手が挿入され、この把手の挿入により把手ボックスが面材に取り付けられている。
【００１０】
また、本出願の請求項２記載の発明の可搬式断熱貯蔵庫においては、面材または把手ボックスには凸部（３３）または嵌合部（３６）の一方が設けられ、把手の端部には凸部または嵌合部の他方が設けられている。この把手の端部が把手ボックスの把手挿入用開口に挿入され、凸部が前記嵌合部に嵌まって係合して、把手が取り付けられている。
【００１１】
【００１２】
そして、請求項１記載の発明の可搬式断熱貯蔵庫においては、必ずしも、把手の端部に凸部や嵌合部が形成されている必要はなく、把手がビスなどで固定されていることも可能である。さらに、把手ボックスに面材のフランジが嵌まり込む溝が形成されていないことも可能である。
【００１３】
また、請求項２記載の発明の可搬式断熱貯蔵庫においては、必ずしも、フランジに把手挿入用開口が形成されている必要はなく、把手ボックスが面材にスポット溶接されていることも可能である。さらに、把手ボックスに面材のフランジが嵌まり込む溝が形成されていないことも可能である。
【００１４】
【００１５】
【発明の実施の形態】
次に、本発明における可搬式断熱貯蔵庫の実施の一形態を図１ないし図６を用いて説明する。図１は本発明にかかる可搬式断熱貯蔵庫の説明図で、（ａ）が正面図、（ｂ）が側面図である。図２は把手の取り付け構造の組み立て分解斜視図である。図３は把手ボックスが取り付けられている面材の要部斜視図である。図４は把手の取り付け構造の説明図で、（ａ）が裏面側から見た斜視図、（ｂ）が正面側から見た斜視図である。図５は把手の取り付け構造の説明図で、（ａ）が横から見た断面図、（ｂ）が（ａ）の要部拡大断面図である。図６は把手の取り付け構造の説明図で、（ａ）が上から見た断面図、（ｂ）が（ａ）の要部拡大断面図である。
【００１６】
可搬式断熱貯蔵庫であるコールドロールボックス１は、一面すなわち前面が開口した断熱箱体２にて形成され、内部に貯蔵室を有している。このコールドロールボックス１の前面開口は、左右一対の断熱扉である前面扉３で開閉自在に閉塞されている。そして、コールドロールボックス１の貯蔵室には蓄冷材が設けられ、この蓄冷材を冷却する冷却装置がコールドロールボックス１に備えられている。また、このコールドロールボックス１の下側の四隅には各々移動用車輪５が設けられている。
【００１７】
そして、コールドロールボックス１の本体である断熱箱体２は、内箱である庫内側の面材７と、外箱である庫外側の面材８との間の空間に、ウレタンなどの断熱材９を注入発泡して形成されている。この両面材７，８は、ステンレス板、塗装鋼板やアルミ板などの金属板などからなり、板金加工などで形成されている。また、断熱箱体２の左右両側面１１の両サイドには各々凹部１６が形成されており、各凹部１６には、移動用の把手１７が設けられている。人力でコールドロールボックス１を移動する際には、この把手１７を手で握り、コールドロールボックス１を押したり引いたりして力を加えることにより、移動させることができる。なお、この把手１７は、断熱材９を注入発泡する前に、庫外側の面材８に把手ボックス１８を介して取り付けられている。
【００１８】
次に、把手１７の取り付け構造について説明する。庫外側の面材８には、略矩形の把手用開口２１が形成され、この把手用開口２１の縁部から略直角に内側へ絞り加工で折り曲げられてフランジ２２が形成されている。そして、互いに対向するフランジである上側フランジ２２ａおよび下側フランジ２２ｂは、中央部の奥行きが両端部の奥行きよりも長く形成されているとともに、奥行きの長い部分に把手挿入用開口２３が形成されている。
【００１９】
また、把手ボックス１８は、一面が開口している箱体であり、弾性を有する樹脂で一体に成形されており、内部空間が断熱箱体２の凹部１６となる。この把手ボックス１８の互いに対向する壁である上壁２８および下壁２９には、各々把手挿入用開口３１が形成されており、把手ボックス１８が庫外側の面材８に取り付けられている状態では、この把手ボックス１８の把手挿入用開口３１は、庫外側の面材８の把手挿入用開口２３に重なり合っている。また、把手ボックス１８の開口面側の端部の周縁から外側にフランジ２６が形成されており、上側フランジ２６ａおよび下側フランジ２６ｂの裏面側（すなわち庫外側の面材８側とは反対側）には、各々係止部である係止突起３３が形成されている。さらに、把手ボックス１８の開口面側の端部には、庫外側の面材８のフランジ２２が嵌まり込む溝３４が形成されている。
【００２０】
そして、中空の棒状の把手１７は、たとえばステンレス製の長円形のパイプで、上下両端部に各々嵌合部としての孔３６が形成されている。
【００２１】
この様に構成されている庫外側の面材８、把手ボックス１８および把手１７を組み立てる際には、まず始めに、把手ボックス１８の開口面を、庫外側の面材８の裏面側すなわち内側から把手用開口２１に対向させて、庫外側の面材８のフランジ２２に把手ボックス１８の溝３４を嵌めるとともに、把手ボックス１８のフランジ２６の前面を庫外側の面材８の裏面に当接させる。すると、把手ボックス１８の把手挿入用開口３１が、庫外側の面材８の把手挿入用開口２３に位置が合う。
【００２２】
そして、図２および図４に図示するように、把手１７を把手ボックス１８の把手挿入用開口３１および庫外側の面材８の把手挿入用開口２３に挿入して、把手１７が把手ボックス１８および庫外側の面材８のフランジ２２を串刺ししている状態とする。すなわち把手１７の中央部が把手ボックス１８の内部に位置し、把手１７の両端部が把手ボックス１８および庫外側の面材８のフランジ２２を貫通して把手ボックス１８の外側に位置している状態にする。この把手１７の挿入時に、把手１７が把手ボックス１８の係止突起３３に接触すると、係止突起３３は弾性変形して押しつぶされる。そして、把手１７は係止突起３３を押しつぶしている状態で上下にスライドすることができる。
【００２３】
ついで、把手１７を上下にスライドさせて、把手１７の上下それぞれの孔３６の位置を、把手ボックス１８の上下それぞれの係止突起３３に合わせると、押しつぶされていた係止突起３３が元の状態に復帰して、把手１７の孔３６に嵌まって把手１７を係止する。この様にして、把手ボックス１８および把手１７が庫外側の面材８に取り付けられると、庫外側の面材８と庫内側の面材７とを間隔を開けて対向させて断熱材９を注入発泡させて、断熱箱体２が形成されている。
【００２４】
前述のように、実施の形態においては、庫外側の面材８のフランジ２２の把手挿入用開口２３と、把手ボックス１８の把手挿入用開口３１とに把手１７を挿入するだけで、庫外側の面材８に把手ボックス１８を取り付けることができる。したがって、スポット溶接などをする必要がなく、取り付け作業が簡単となる。また、面材８にスポット跡が形成されることがなく、見栄えが悪くなることを防止することができる。
【００２５】
そして、把手１７は、把手ボックス１８の係止突起３３に孔３６が係止されることにより固定されているので、把手１７をスライドさせて孔３６を係止突起３３に嵌めるだけであり、ビス締め作業を行う必要がない。したがって、把手１７の取り付け作業が簡単となる。
【００２６】
さらに、庫外側の面材８のフランジ２２の端部は、把手ボックス１８の溝３４に嵌まっているので、フランジ２２が捲れ上がることを防止することができる。
【００２７】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）実施の形態において、把手１７は上下方向に配置されているが、その配置方向は適宜変更可能である。たとえば、把手１７を左右方向に配置することも可能である。また、把手１７の材質、形状などは適宜変更可能である。
【００２８】
（２）実施の形態においては、把手１７に嵌合部である孔３６が、把手ボックス１８に凸部である係止突起３３が形成されているが、嵌合部は孔に代えて凹部でも可能であり、そして、把手１７側に凸部を、把手ボックス１８側に嵌合部を形成することも可能である。また、把手ボックス１８に代えて、面材８に凸部などを形成することも可能である。さらに、凸部を出没可能な構造とすることも可能である。
（３）把手ボックス１８および面材８の材質などは適宜変更可能である。
【００２９】
（４）実施の形態においては、可搬式断熱貯蔵庫はコールドロールボックス１であるが、可搬式断熱貯蔵庫に移動用車輪５を設けないことも可能である。たとえば、把手１７を掴んで、可搬式断熱貯蔵庫を持ち上げて運搬することも可能である。
【００３０】
【発明の効果】
本出願の請求項１記載の発明によれば、面材のフランジおよび把手ボックスには、各々把手挿入用開口が形成され、このフランジの把手挿入用開口および把手ボックスの把手挿入用開口に把手が挿入され、この把手の挿入により把手ボックスが面材に取り付けられているので、把手ボックスを面材にスポット溶接などで固定する必要がない。したがって、面材にスポット跡が形成されず、見栄えが良好となる。また、スポット溶接作業が無くなり、把手ボックスの取り付け作業が簡単となる。
【００３１】
また、請求項２記載の発明によれば、面材または把手ボックスには凸部または嵌合部の一方が設けられ、把手の端部には凸部または嵌合部の他方が設けられているので、この把手の端部を把手ボックスの把手挿入用開口に挿入して、凸部を嵌合部に嵌めて係合させて、把手を取り付けることができる。したがって、把手をビスなどで固定する作業が不要となる。その結果、把手を取り付ける作業工数を減少させることができる。
【図面の簡単な説明】
【図１】  図１は本発明にかかる可搬式断熱貯蔵庫の説明図で、（ａ）が正面図、（ｂ）が側面図である。
【図２】  図２は把手の取り付け構造の組み立て分解斜視図である。
【図３】  図３は把手ボックスが取り付けられている面材の要部斜視図である。
【図４】  図４は把手の取り付け構造の説明図で、（ａ）が裏面側から見た斜視図、（ｂ）が正面側から見た斜視図である。
【図５】  図５は把手の取り付け構造の説明図で、（ａ）が横から見た断面図、（ｂ）が（ａ）の要部拡大断面図である。
【図６】  図６は把手の取り付け構造の説明図で、（ａ）が上から見た断面図、（ｂ）が（ａ）の要部拡大断面図である。
【図７】  図７は従来の可搬式断熱貯蔵庫の把手の取り付け構造の組み立て分解斜視図である。
【図８】  図８は把手ボックスが取り付けられている面材の要部斜視図である。
【図９】  図８は把手の取り付け構造の説明図で、（ａ）が裏面側から見た斜視図、（ｂ）が正面側から見た斜視図である。
【図１０】  図１０は把手の取り付け構造の断面図で、（ａ）が横から見た要部断面図、（ｂ）が上から見た断面図である。
【符号の説明】
１  コールドロールボックス（可搬式断熱貯蔵庫）
２  断熱箱体
８  面材
１７  把手
１８  把手ボックス
２１  把手用開口
２２  フランジ
２３  把手挿入用開口
３１  把手挿入用開口
３３  係止突起（凸部）
３４  溝
３６  孔（嵌合部）
【図１】
0003676007.tif 000002
【図２】
0003676007.tif 000003
【図３】
0003676007.tif 000004
【図４】
0003676007.tif 000005
【図５】
0003676007.tif 000006
【図６】
0003676007.tif 000007
【図７】
0003676007.tif 000008
【図８】
0003676007.tif 000009
【図９】
0003676007.tif 000010
【図１０】
0003676007.tif 000011